(57)【特許請求の範囲】
【請求項１】
平時は寝台のベース部分の一部として使用され、浸水時は人が乗った状態で床から浮上することができる、浮体を有した本体部と、
前記本体部に対して回動可能に連結されており、浸水時に前記本体部の側方に位置するアウトリガーと、
を備え、前記本体部は、平面視略長方形状であって、前記アウトリガーは、前記本体部の一方の長辺に第１アウトリガーが、これと向かい合う他方の長辺に第２アウトリガーが、回動可能に連結されていることを特徴とするベッド。
【請求項２】
前記本体部の浮体の縁部に取り付けたフレームの一部に対して、前記アウトリガーの縁部に取り付けたフレームの一部が回動可能に連結されていることを特徴とする請求項１に記載のベッド。
【請求項３】
前記アウトリガーは、平時は前記本体部の底面に接しており、寝台のベース部分の一部を構成し、
浸水時、前記アウトリガーは、前記アウトリガーと前記本体部の底面の間に浸入する水の作用によって前記本体部の底面から離れ、前記アウトリガーに生じる浮力によって前記本体部に対して回動することを特徴とする請求項１又は２に記載のベッド。
【請求項４】
前記第１アウトリガー及び前記第２アウトリガーの長手方向両端部に、浸水時、前記アウトリガーと前記本体部の底面の間に浸入する水の導入口となる切り欠き部が設けられていることを特徴とする請求項３に記載のベッド。
【請求項５】
前記第１アウトリガーと前記第２アウトリガーの間に、浸水時、前記アウトリガーと前記本体部の底面の間に浸入する水の導入口となる所要の間隔が設けられていることを特徴とする請求項３に記載のベッド。
【請求項６】
前記アウトリガーは、平時は寝台のベース部分の一部として使用され、浸水時は解除手段によって前記本体部に対して回動可能な状態となることを特徴とする請求項１〜５の何れかに記載のベッド。
【請求項７】
前記本体部はキャスターを有し、
前記本体部と前記アウトリガーの側方をカバーする筐体を有すると共に、
前記筐体は、浸水時に前記筐体を構成する一部の板材を取り外すことが可能な分離手段を備えたことを特徴とする請求項１〜６の何れかに記載のベッド。
【請求項８】
前記本体部は、浸水時、体を休めることができる凹状部を備え、この凹状部の壁面に、手摺りが取り付けられていることを特徴とする請求項１〜７の何れかに記載のベッド。
【請求項９】
前記凹状部に、少なくとも水、食料を含む避難用品を収容するケースが設置されていることを特徴とする請求項８に記載のベッド。
【請求項１０】
浸水時、前記本体部の上面に設置するテントを備えたことを特徴とする請求項１〜９の何れかに記載のベッド。
【発明の詳細な説明】
【技術分野】
【０００１】
本発明は、ベッドに関するものである。
【０００２】
より詳しくは、本発明のベッドは、津波、高潮、台風、豪雨による河川の氾濫等によって洪水が発生し、家屋が浸水したときに、水没を避け、人が乗った状態で水面上に浮上することができる水害対策用ベッドに関するものである。
【背景技術】
【０００３】
平時は通常のベッドとして使用されるが、洪水が発生した時は、避難用ボートのように使用できるベッドが提案されている（特許文献１、２）。
【０００４】
特許文献１のボート兼用シェルタベッドは、少なくとも１名が横臥できるサイズのマット部材と、このマット部材の下面に設けた舟型形状の浮力部と、前記マット部材の幅方向両側に設けた脚部とを備える。前記浮力部は、たとえば発泡スチロール等の浮力の大きい発泡樹脂で構成される。
【０００５】
また、特許文献２の浮き袋付きベッドは、ベッド本体と、ベッド本体に装備された袋体を備える。この袋体に気体を吹き込むことによって浮き袋とし、全体の比重を下げることで、ベッド本体を水に浮かせることを可能とする。
【０００６】
ところで、国土交通省のウェブサイト「川の防災情報」の「浸水深と避難行動について」（https://www.river.go.jp/kawabou/reference/index05.html）によれば、一般家屋の場合、浸水深（洪水が発生した浸水域の地面から水面までの高さ）が０．５ｍ以下で「床下浸水」、０．５〜１．０ｍで「床上浸水」、１．０〜２．０ｍで「１階の軒下まで浸水」、２．０〜５．０ｍで「２階の軒下まで浸水」、５．０ｍ以上で「２階の屋根以上が浸水」と説明されている。このように、近年、地震による津波や地球温暖化による気候変動の影響を受けて水害が激甚化しており、寝室がある階の軒下まで浸水することが想定されている。そのため、水害対策用ベッドには、屋内から屋外へ逃げ出した後も、人が乗った状態で安定して水面上に浮かぶことができる構造が求められる。
【０００７】
しかし、上記した従来の水害対策用ベッドは、以下の課題があった。
先ず、特許文献１のベッドは、マット部材の下面にのみ浮力が大きい浮力部が取り付けられ、マット部材の幅方向の両側には、浮くための構造物ではない脚部が取り付けられている。そのため、特許文献１のベッドは、水の流れが激しく濁流が発生している屋外に逃げ出したときに、ベッドの長手方向を軸とするローリング（横揺れ）に耐えられず、バランスを崩して横向きに転覆してしまうリスクがあった。
【０００８】
上記課題は特許文献２のベッドにおいても未解決である。特許文献２のベッドはベッド本体の下部には浮力を発生させる構造がなく、ベッド本体の周囲に取り付けた浮き袋により浮力を得るものであるが、ベッド本体の幅に対する浮き袋の幅は不十分であり、横揺れによる転覆のリスクを低減できる構成は存在しない。
【０００９】
加えて、特許文献２では、ベッド本体の周囲に取り付けた袋体に気体を送り込む手段として、例えば、電動の気体送入機やガスボンベをベッドに装備する方法、ガス発生剤と酸化剤とを反応させるなどして気体を化学的に生成するエアバッグシステムをベッドに搭載する方法などが開示されている。しかし、これらの方法は、水害発生時の緊急性、切迫した状況を鑑みると、特に高齢者にとっては操作が難しいものであった。
【先行技術文献】
【特許文献】
【００１０】
【特許文献１】特開２００７−２２２３２０号公報
【特許文献２】特開２０１４−１１３４３９号公報
【発明の概要】
【発明が解決しようとする課題】
【００１１】
本発明が解決しようとする課題は、従来の水害対策用ベッドは、濁流が発生している屋外に逃げ出したときに、横揺れに耐えられず、バランスを崩して転覆してしまうリスクがあった点である。加えて、高齢者にとっては操作が困難という課題もある。
【課題を解決するための手段】
【００１２】
一般に、災害時の人命救助では、生死を分けるタイムリミット（生存率が激減するライン）として「７２時間の壁」ということが言われている。
【００１３】
本発明は、浸水時（以下の説明では、津波、高潮、台風、豪雨による河川の氾濫等、原因の如何を問わず、洪水が発生して、家屋、病院、宿泊施設等、人が就寝している建物が浸水する時を、単に「浸水時」という。）、水の流れが激しく濁流が発生している状況下でも転覆のリスクを低減し、水面上に安定して浮かぶことが可能な水害対策用ベッドを提供することを目的としている。
【００１４】
加えて、本発明は、浸水時の操作が容易であると共に、上記タイムリミットに鑑み、水害の発生から少なくとも７２時間程度、風雨をしのぎ、プライバシーを確保し、水、食料等を補給しながら救助隊の到着を待つことができる水害対策用ベッドを提供するものである。
【００１５】
本発明のベッドは、
平時は寝台のベース部分の一部として使用され、浸水時は人が乗った状態で床から浮上することができる、浮体を有した本体部と、
前記本体部に対して回動可能に連結されており、浸水時に前記本体部の側方に位置するアウトリガーと、
を備え、前記本体部は、平面視略長方形状であって、前記アウトリガーは、前記本体部の一方の長辺に第１アウトリガーが、これと向かい合う他方の長辺に第２アウトリガーが、回動可能に連結されていることを最も主要な特徴としている。
【発明の効果】
【００１６】
本発明のベッドは、寝台のベース部分の一部を構成する本体部が、十分な浮力を発生させる浮体を備えている。従って、本発明のベッドは、平時は通常のベッドとして使用できるが、浸水時は、本体部の作用のみで、水没を避けることができ、人が乗った状態で床から水面上に浮上し、避難用ボートと同様の機能を発揮できる。
【００１７】
加えて、本発明のベッドは、前記本体部に対してアウトリガーが回動可能に連結されており、浸水時は、アウトリガーを本体部の側方に位置させることができる。従って、本発明のベッドは、濁流が発生している状況下でも転覆のリスクを低減できる。
【００１８】
ここで、アウトリガーは、一般に、船体の横に固定される浮体（舷外浮材）を意味する語である。本明細書においても、浸水時、船体の役割を果たす本体部の横揺れに対する安定性を増し、転覆を防止するための浮体を意味する語として用いる。
【図面の簡単な説明】
【００１９】
【図１】本発明のベッドの分解斜視図であり、（ａ）は平時に使用する敷布団と枕、（ｂ）は敷布団の下に敷くマット、（ｃ）はマットの下に敷く簀子、（ｄ）は寝台のベース部分を示している。
【図２】本発明のベッドの平時における使用状態を示す図である。
【図３】取り外し可能な後板部と、後板部の分離手段を示す図である。
【図４】本体部及びアウトリガーの正面図であり、（ａ）はアウトリガーが回動する前の状態を示す図、（ｂ）はアウトリガーが回動して本体部の側方に位置している状態を示す図である。
【図５】解除手段として用いるロープの実施形態を示す図である。
【図６】本体部及びアウトリガーの側面図であり、アウトリガーが回動する前の状態を示す図である。
【図７】本体部及びアウトリガーの平面図であり、（ａ）はアウトリガーが回動する前の状態を示す図、（ｂ）はアウトリガーが回動して本体部の側方に位置している状態を示す図である。
【図８】本体部及びアウトリガーの底面図であり、（ａ）はアウトリガーが回動する前の状態を示す図、（ｂ）はアウトリガーが回動して本体部の側方に位置している状態を示す図である。
【図９】本体部のフレームに対し、アウトリガーのフレームを回動可能に連結するための手段を示す図である。
【図１０】本発明のベッドの浸水時における使用状態を示す図である。
【図１１】浸水時にテントを設置した状態を示す図である。
【図１２】浸水時に設置するテントの他の例であり、（ａ）は１本の支柱を立てるだけで設置できるテント、（ｂ）はルーフテントである。
【図１３】第１アウトリガーと第２アウトリガーの間に、水の導入口となる隙間が存在しない実施例であり、（ａ）は正面図、（ｂ）は底面図である。
【図１４】第１アウトリガーと第２アウトリガーの間に、水の導入口となる切り欠き部を設けた実施例であり、（ａ）は正面図、（ｂ）は底面図である。
【発明を実施するための最良の形態】
【００２０】
以下、本発明を実施するための最良の形態を、図１〜図１４を用いて説明する。
図１〜図２において、１は本実施例のベッドであり、寝台のベース部分１０の上に、就寝時の通気性を良好にするための簀子５、マット４、敷布団２、枕３を設置して構成される。ベッド１は平面視矩形状で、たとえば大人１名が就寝するのに適したサイズであり、図２に示すように、平時は心地よく睡眠できる快適なベッドとして使用できる。
【００２１】
浮体３１を有した本体部３０は、平時は寝台のベース部分１０の一部（中央部分）として使用される（図１（ｄ）参照）。本体部３０の周囲は、前衝立部１１、右側板部１２、左側板部１３、後板部１４で囲まれており、平時は外部から見えることがないので、ベッド１は市販のベッドと同様、所望のデザインを採用できる。
【００２２】
一方、浸水時は、図４に示す本体部３０及びアウトリガー５０を寝台のベース部分１０から取り出して、水面上に浮かぶための船体として使用する。なお、図４は、図１（ｄ）の矢印Ａの方向（後板部１４側）から見た図である。
【００２３】
ベッド１は、本体部３０及びアウトリガー５０の側方の周囲をカバーする筐体（前衝立部１１、右側板部１２、左側板部１３、後板部１４）を有するが、一部の板材（本実施例では後板部１４）は、分離手段１５によって取り外すことが可能になっている。
【００２４】
具体的には、ベッド１は、図２〜図３に示すように、分離手段１５として螺子式のピン１５ａと螺孔１５ｂを備える。後板部１４の両側部に螺孔１５ｂが設けられており、後板部１４は、右側板部１２、左側板部１３に対して螺子式のピン１５ａのみによって取り付けられている。従って、浸水時は、螺子式のピン１５ａを取り外すだけで、後板部１４は他の筐体から容易に分離することができる。
【００２５】
本体部３０は、下面の４隅にキャスター１６を有している。よって、浸水時は、最初に後板部１４を取り外し、その後、本体部３０及びアウトリガー５０は、少ない力で引っ張るだけでもキャスター１６の作用によって床面上を軽やかに移動して、寝台のベース部分１０から簡単に取り出すことができる。
【００２６】
本体部３０を構成する浮体３１は、浸水時、浮体３０に十分な浮力が得られるように、例えば発泡スチロール等の発泡樹脂材で構成される。従って、本発明のボート１は、浸水時、本体部３０の作用のみで水没を避けることができ、人が乗った状態で床から水面上に浮上して、避難用ボートと同様の機能を発揮できる（図１０を参照）。
【００２７】
加えて、ベッド１は、本体部３０に対して回動可能に連結され、浸水時に本体部３０の側方に位置するアウトリガー５０（５１，５２）を備える。従って、浸水時、避難者が乗る本体部３０は、屋外に逃げ出して濁流が発生している状況下でも、本体部３０の一方の側方に連結された第１アウトリガー５１と、これと向かい合う他方の側方に連結された第２アウトリガー５２の作用によって、ローリングに対する安定性が格段に向上し、転覆のリスクを低減できる。
【００２８】
ここで、アウトリガー５０（５１，５２）は、平面視略長方形状の本体部３０に対し、一方の長辺に第１アウトリガー５１を、これと向かい合う他方の長辺に第２アウトリガー５２を連結するのが良い（図７を参照）。本体部３０の短手方向の両端にアウトリガー５０（５１，５２）を回動可能に連結することで、本体部３０の長手方向を軸とするローリングに対応することができる。
【００２９】
本体部３０を構成する浮体３１は、これにアウトリガー５０（５１，５２）を構成する浮体５３を直接連結すると、連結部が耐久性の点で弱点となる。また、本体部３０の浮体３１は、長手方向の強度が不足しやすい。そこで、ベッド１においては、図６、図７、図８に示すように、本体部３０を構成する浮体３１の縁部にはフレーム３３ａ、３３ｂを取り付けると共に、アウトリガー５０（５１，５２）を構成する浮体５３の縁部にはフレーム５４ａ，５４ｂを取り付けている。また、図８に示すように、浮体３１の底面３１ａの幅方向中央部にセンターフレーム３５を取り付けて、浮体３１の長手方向の強度を高めている。
【００３０】
そして、本体部３０を構成する浮体３１の縁部に取り付けたフレームの一部３３ａに対し、アウトリガー５０（５１，５２）を構成する浮体５３の縁部に取り付けたフレームの一部５４ｂを連結手段を用いて回動可能に連結している。この連結手段は、たとえば図９に示すように、ボルト６１、ナット６２、ワッシャー６３、木片からなるスペーサー６４を用いて、本体部３０を構成する浮体３１の長辺の縁部に取り付けたフレーム３３ａに対し、アウトリガー５０（５１，５２）を構成する浮体５３の短辺の縁部に取り付けたフレーム５４ｂを回動可能に連結すれば良い。なお、本体部３０とアウトリガー５０（５１，５２）は、図９の構成に限らず、例えばヒンジ機構で回動可能に連結しても良い。
【００３１】
本実施例のベッド１は、本体部３０を構成する浮体３１やアウトリガー５０（５１，５２）を構成する浮体５３に、スタイロフォーム（登録商標）を使用している。スタイロフォーム（登録商標）はザ・ダウ・ケミカル・カンパニーの商標名であるが、押出法ポリスチレンフォーム（XPS：Extruded Polystyrene）であり、完全に独立した無数の空洞を有する発泡体で、１立方メートルあたりの重量が２０〜３０Ｋｇ程度の軽量でありながら適度な硬さを有している。耐水性に優れる上、熱伝導率も低いので、救助隊が到着するまで水上で待つ間、寒さをしのぐのにも好適である。また、スタイロフォーム（登録商標）は難燃性の点でも優れており、火災発生時に焼失もしくは溶解するおそれもない。
【００３２】
また、本実施例では、図４に示すように、アウトリガー５０（５１，５２）は、平時は本体部３０の浮体３１の底面３１ａに接しており、本体部３０と共に、寝台のベース部分１０の一部を構成している。
【００３３】
図４において、１７は、本実施例において解除手段として用いているロープ１７ａと突起部１７ｂを示している。アウトリガー５０（５１，５２）は、平時は寝台のベース部分１０の一部として使用されるが、浸水時はロープ１７ａの両端の輪状部を突起部１７ｂから取り外すだけで、本体部３０に対して回動可能な状態となる。なお、ロープの形状は、例えば図５（ｂ）に示すロープ１７ａａのように、全体が１つの輪を形成しているものでも良い。
【００３４】
３６は、本体部３０に乗って避難していた人が水中に落下した場合に、できるだけ早く本体部３０の浮体３１の上面３１ｂに昇れるようにするための梯子を示している。図１０に示すように、梯子３６は、そのステップ３６ａが水中に位置しており、水中に落下した人は、ステップ３６ａを水中で見付け、手で掴むことができる。
【００３５】
ベッド１は、浸水時、アウトリガー５０（５１，５２）と本体部３０の浮体３１の底面３１ａの間に浸入する水の作用によって、アウトリガー５０（５１，５２）が本体部３０の浮体３１の底面３１ａから離れ、アウトリガー５０（５１，５２）に生じる浮力によって本体部３０に対して回動し、本体部３０の側方に位置させることができる。
【００３６】
つまり、本実施例のベッド１は、アウトリガー５０（５１，５２）を回動させるための動力を発生させる機構は必要とせず、浸水時は水の作用のみによってアウトリガー５０（５１，５２）を適切な位置まで展開させることができる。
【００３７】
図７に示すように、本体部３０は、浸水時、体を休めることができる凹状部３２を備えている。また、凹状部３２の壁面（内側の面）に、取付け具３４ａ、ロープ３４ｂからなる手摺り３４が取り付けられている。従って、浸水時、避難者は本体部３０が激しく揺れるときは手摺り１８を掴むこと揺れの恐怖を緩和でき、また凹状部３２内で休息することができる。
【００３８】
また、凹状部３２には、少なくとも水、食料を含む避難用品を収容するケース３７が設置されているので、避難者は、水や食料を補給しながら、救助隊の到着を待つことができる。なお、ケース３７には、必要に応じて風邪薬、絆創膏、防寒具、下着、靴下、手袋、ラジオ、救命道具、懐中電灯等を格納しても良い。
【００３９】
図８に示すように、本実施例のベッド１は、第１アウトリガー５１と第２アウトリガー５２の間に、浸水時、アウトリガー５０（５１，５２）と本体部３０の底面３１ａの間に浸入する水の導入口となる所要の間隔５６が設けられている。
【００４０】
このように水の導入口となる所要の間隔５６を設けることによって、本実施例のベッド１は、アウトリガー５０（５１，５２）を本体部３０の側方の位置まで速やかに展開させることが可能となる。
【００４１】
また、浸水時は、図１１に示すように、本体部３０の浮体３１の上面３１ｂに、風雨をしのぎ、プライバシーを確保するためのテント７０ａを設置する。テント７０ａは、２本のポール７１ａ，７１ｂを備え、各ポールの先端を浮体３１の上面３１ｂの四隅に設けた差込部に挿入して設営したもので、生地７２の一箇所に出入口７３が設けられている。この場合、出入口７３は、梯子３６が存在する位置に設けることが好ましい。
【００４２】
なお、テント７０ａの構成は特に限定されない。例えば、図１２（ａ）に示すような、１本の支柱７４を差込部７５に挿入するだけで設営できるテント７０ｂは高齢者であっても設置しやすい。また、図１２（ｂ）に示すような、板状のルーフ７６の後端をヒンジ７７で結合し、前記ルーフ７６の前端側を折り畳み式のリンクアーム７８で上昇位置で保持するルーフテント７０ｃも、高齢者が簡単に設置できて利用しやすいものである。なお、図１１〜図１２において、８０は、浸水時、救助者に対して光によって居場所を報知するためのライトである。
【００４３】
以上に説明したとおり、本発明のベッド１は、浸水時、水の流れが激しく濁流が発生している状況下でも転覆のリスクを低減し、水面上に安定して浮かぶことが可能であると共に、高齢者であっても浸水時の操作が容易で、水害の発生から少なくとも７２時間程度、風雨をしのぎ、プライバシーを確保し、水、食料等を補給しながら救助隊の到着を待つことができるものである。
【００４４】
本発明は、前記の実施例に限るものではなく、各請求項に記載の技術的思想の範疇であれば、適宜実施の形態を変更しても良いことは言うまでもない。
【００４５】
例えば、上記実施例では、浮体３１は発泡樹脂材で構成する例を示したが、これに限らず、内部が空洞の樹脂材で構成された浮力室としても良い。また、浮力室の内部にポリウレタンフォーム、発泡スチロール、ポリエチレンフォーム、ポリプロピレンフォーム等の発泡材を充填した構成でも良い。浮力室でも良い点は、アウトリガー５０（５１，５２）を構成する浮体５３についても同様である。
【００４６】
また、上記実施例では、第１アウトリガー５１と第２アウトリガー５２の間に所要の間隔を設けて水の導入口とする例を、より望ましい構成として開示したが、この点は本発明において必須ではない。たとえば図１３に示すように、第１アウトリガー５１と第２アウトリガー５２の間に隙間が無く、両者の先端が接している構成でも良い。
【００４７】
また、例えば図１４に示すように、第１アウトリガー５１及び第２アウトリガー５２の長手方向両端部に、浸水時、アウトリガー５０（５１，５２）と本体部３０の底面３１ａの間に浸入する水の導入口となる切り欠き部５５を設ける構成でも良い。
【００４８】
もっとも、本発明者がテストしたところによると、図８に示す所要の間隔５６を設ける構成は、アウトリガー５０（５１，５２）を素早く展開するという点で、最も好適な構成である。
【００４９】
また、上記実施例では、本体部３０の下面の４隅にキャスター１６を設ける例を開示したが、この点は本発明において必須の構成ではない。もっとも、車輪の向きを水平方向に３６０°回転自在なキャスター１６を設けた場合は、水位が低い浸水初期の段階においても、第１アウトリガー５１と第２アウトリガー５２が、左右方向に展開しやすくなる。
【００５０】
また、キャスター１６を設けた場合は、図１０に示すように水面上に浮上した段階において、水面上に浮遊している瓦礫がキャスター１６と衝突することで、瓦礫とアウトリガー５０（５１，５２）の直接の衝突を避けることができるので、これによって本体部３０及びアウトリガー５０（５１，５２）を保護する効果も得られる。
【符号の説明】
【００５１】
１  ベッド
２  敷布団
３  枕
４  マット
５  簀子
１０  寝台のベース部分
１１  前衝立部
１２  右側板部
１３  左側板部
１４  後板部
１５  分離手段
１５ａ  螺子式のピン
１５ｂ  螺孔
１６  キャスター
１７  解除手段
１７ａ，１７ａａ  ロープ
１７ｂ  突起部
３０  本体部
３１  浮体
３１ａ  浮体の底面
３１ｂ  浮体の上面
３２  凹状部
３３ａ，３３ｂ  フレーム
３４  手摺り
３４ａ  取付け具
３４ｂ  ロープ
３５  センターフレーム
３６  梯子
３７  ケース
５０  アウトリガー
５１  第１アウトリガー
５２  第２アウトリガー
５３  浮体
５４ａ，５４ｂ  フレーム
５５  切り欠き部
５６  所要の間隔
６１  ボルト
６２  ナット
６３  ワッシャー
６４  スペーサー
７０ａ，７０ｂ，７０ｃ  テント
７１ａ，７１ｂ  ポール
７２  シート
７３  出入口
７４  支柱
７５  差込部
７６  ルーフ
７７  ヒンジ
７８  リンクアーム
８０  ライト
【要約】
【課題】高齢者であっても操作しやすく、屋外に逃げ出したときに、水の流れが激しく濁流が発生している状況下でも転覆のリスクを低減し、水面上に安定して浮かぶことが可能な水害対策用ベッドを提供する。
【解決手段】平時は寝台のベース部分１０の一部として使用され、浸水時は人が乗った状態で床から浮上することができる、浮体３１を有した本体部３０と、前記本体部３０に対して回動可能に連結されており、浸水時に前記本体部３０の側方に位置するアウトリガー５０（５１，５２）を備えたベッド１である。
【選択図】図４【図１】
0006906655.tif 000002
【図２】
0006906655.tif 000003
【図３】
0006906655.tif 000004
【図４】
0006906655.tif 000005
【図５】
0006906655.tif 000006
【図６】
0006906655.tif 000007
【図７】
0006906655.tif 000008
【図８】
0006906655.tif 000009
【図９】
0006906655.tif 000010
【図１０】
0006906655.tif 000011
【図１１】
0006906655.tif 000012
【図１２】
0006906655.tif 000013
【図１３】
0006906655.tif 000014
【図１４】
0006906655.tif 000015